Podtech/llm-jp-corpus-v4-ja_patent huggingface dataset:
(57)【要約】【課題】電池の寿命を延ばすことができ、電池の充電又は交換の手間を軽減することができる電流測定器を提供する。【解決手段】電源に電池を使用し、交流電流を計測する電流測定器において、導電体に流れる電流を電流センサにより検出し、電流センサの検出信号から電流値を算出するマイコンが所定の単位時間における一定時間、例えば、１秒間に０．１秒だけ測定を行い、測定時間外の０．９秒はマイコンが待機状態となって電力の消費が抑えられる。【選択図】図１
2009139121.tif 000002
【特許請求の範囲】
【請求項１】
導電体に流れる電流を電流センサにより検出し、該電流センサの検出信号からマイコンが電流値を算出して測定を行い、前記マイコンが動作するための電源を電池より供給して成る電流測定器において、前記マイコンは所定の単位時間における一定時間だけ測定を行い、測定時間外は前記マイコンが待機状態となることを特徴とする電流測定器。
【請求項２】
前記測定時間を商用電源周期の自然数倍にしたことを特徴とする請求項１に記載の電流測定器。
【発明の詳細な説明】
【技術分野】
【０００１】
本発明は、導電体に流れる交流電流を計測する電池式の電流測定器に関する。
【背景技術】
【０００２】
従来から導電体に流れる交流電流を測定する電流測定器として、持ち運び易さ・取り扱い易さに優れた電池式の電流測定器がある。この電流測定器は、分割型の電流センサを導電体にクランプし、電流センサにより導電体に流れる電流を検出して検出信号をアンプにより増幅し、アンプにより増幅した信号からマイコンが電流値を算出するようになっている。電流測定器の電源は電池より供給され、マイコンでは電源スイッチを入れると常に電力が消費されていた（例えば、特許文献１参照。）。
【０００３】
【特許文献１】特開２００７−１９９０１８号公報
【発明の開示】
【発明が解決しようとする課題】
【０００４】
このため、従来の電流測定器は電池の寿命が短く、頻繁に電池を充電又は交換をしなければならないので経済的でないし、電池の充電又は交換に手間がかかり、煩わしいという問題があった。
【課題を解決するための手段】
【０００５】
本発明は、請求項１に記載の発明によれば、導電体に流れる電流を電流センサにより検出し、電流センサの検出信号からマイコンが電流値を算出して測定を行い、マイコンが動作するための電源を電池より供給して成る電流測定器において、マイコンは所定の単位時間における一定時間だけ測定を行い、測定時間外はマイコンが待機状態となることを特徴とする。
【０００６】
請求項２に記載の発明によれば、請求項１に記載の電流測定器において、測定時間を商用電源周期の自然数倍にしたことを特徴とする。
【発明の効果】
【０００７】
請求項１に記載の発明によれば、消費電力が低減して電池の寿命を延ばすことができ、電池の充電又は交換の回数が少なくなって手間を軽減することができるという効果がある。
【０００８】
請求項２に記載の発明によれば、請求項１に記載の発明の効果に加えて、測定開始点と測定終了点を電源波形のゼロクロス点からゼロクロス点までの測定にこだわらずに簡易なプログラム回路で電流値を測定することができるという効果がある。
【発明を実施するための最良の形態】
【０００９】
導電体に流れる電流を電流センサにより検出し、電流センサの検出信号から電流値を算出するマイコンが所定の単位時間における一定時間だけ測定を行い、測定時間外はマイコンが待機状態となるようにする。
【実施例１】
【００１０】
本発明に係る電流測定器の実施例１を図１及び図２の添付図面に基づいて説明する。
【００１１】
電流測定器１は分割型の電流センサ２と、電流センサ２の出力信号を増幅するアンプ３と、アンプ３からの信号を基に電流値を算出するマイコン４と、算出した電流値を記憶するメモリ５と、データを外部に出力するための通信インターフェース６と、電源としての充電式の電池７と、通信状態や電池７の状態を表示する表示部８とを備えて成っている。
【００１２】
次に電流測定器１の動作について説明する。電流測定器１は分割型の電流センサ２を測定対象の導電体９にクランプして設置すると測定が開始される。測定が開始して電流センサ２が導電体９に流れる電流を検出するとアンプ３に検出信号を出力し、アンプ３は入力された検出信号を増幅してマイコン４へと出力する。
【００１３】
マイコン４は所定の単位時間における一定時間だけ検出信号を基に電流値を算出して測定を行い、測定時間外はマイコン４が待機状態となる。測定時間の設定は商用電源周期の自然数倍とし、例えば、単位時間の設定は１秒と設定し、測定時間の設定は、商用電源の周波数が５０Ｈｚの場合、１周期が１／５０秒であるので商用電源周期の５倍の０．１秒と設定する。また、０．１秒に設定すると商用電源の周波数が６０Ｈｚの場合でも、１周期が１／６０秒であるので商用電源周期のちょうど６倍となる。
【００１４】
従って、商用電源の周波数が５０Ｈｚの場合は５サイクル分、６０Ｈｚの場合は６サイクル分の電源波形の測定ができ、測定開始点と測定終了点を電源波形のゼロクロス点からゼロクロス点までの測定にこだわらずに簡易なプログラム回路で電流値を測定することができる。
【００１５】
電流測定器１は、この設定により、０．１秒測定を行って、０．９秒待機する動作を繰り返し行うことで電流値の測定を行い、０．９秒の待機時間はマイコンで電力の消費が抑えられる。よって、消費電力を従来に比べて低減して電池の寿命を延ばすことができ、電池の充電回数が少なくなって手間を軽減することができる。
【００１６】
なお、マイコン４で算出された電流値はメモリ５に記憶される。メモリ５に記憶されたデータは通信インターフェース７から外部に出力することができ、パソコンなどによりデータを見たり、利用することができる。
【００１７】
本実施例において、電池を二次電池として説明したが、一次電池であっても良く、一次電池の場合は電池の交換回数が少なくなって交換手間も軽減することができる。また、電流センサ２は本体ケースと一体に形成しても良いし、リード線を介して本体ケースと別体に設けても良く、また、電流値の表示手段を本体ケースに設けるなど、構造及び構成について本発明の趣旨を逸脱しない範囲において適宜に変更して実施することも可能である。
【図面の簡単な説明】
【００１８】
【図１】本発明に係る電流測定器を示すブロック図である。
【図２】本発明に係る電流測定器の測定例を示す電源波形図である。
【符号の説明】
【００１９】
１    電流測定器
２    電流センサ
３    アンプ
４    マイコン
５    メモリ
６    通信インターフェース
７    電池
８    表示部
９    導電体
【図１】
2009139121.tif 000003
【図２】
2009139121.tif 000004
(57)【要約】【課題】施工性及び安全性が向上し、雷サージにより壊れることがなく、また、装置本体を小型化して狭い場所へ取り付けることができる電力測定器を提供する。【解決手段】単相３線式電路の電力量を測定するための電力測定器１において、単相３線式電路のＸ相とＹ相に流れる電流を電流センサ２，２により夫々測定し、単相３線式電路の電圧値を任意に設定し、電流センサ２により測定した電流値と任意に設定した電圧値から単相３線式電路の電力量を算出する。【選択図】図１
2009139122.tif 000002
【特許請求の範囲】
【請求項１】
単相３線式電路の電力量を測定するための電力測定器において、前記単相３線式電路のＸ相とＹ相に流れる電流を電流センサにより夫々測定し、該電流センサにより測定した電流値と任意に設定した電圧値から前記単相３線式電路の電力量を算出することを特徴とする電力測定器。
【発明の詳細な説明】
【技術分野】
【０００１】
本発明は、単相３線式電路の電力量を測定する電力測定器に関する。
【背景技術】
【０００２】
単相３線式電路の電力量を測定するための電力測定器は、電路の電流と電圧を測定し、測定した電流値と電圧値から電力量を算出している。一般的に電流の測定は分割型の電流センサが使用され、電流センサは電路が活線状態でも取り付けることができる。また、電圧の測定は電路に装置本体から延びるリード線を接続する必要があった（例えば、特許文献１参照。）。
【０００３】
【特許文献１】特開２００６−３３７１９３号公報
【発明の開示】
【発明が解決しようとする課題】
【０００４】
この電圧を測定するためのリード線の接続は、リード線の先端に設けられたクリップを電路に挟むことで行われ、接続作業の際は安全面から電路の電源を切る必要があった。また、電路の形状によってはクリップの取り付けが困難な場合があり、測定中にクリップが外れる虞もあった。更に、電路に雷サージが発生した場合、リード線を介して雷サージが回路に印加され、電力測定器が破壊される虞があった。また、装置本体が大きいので分電盤内に設置する場合に分電盤のカバーが閉まらず、安全性に欠ける問題があった。
【課題を解決するための手段】
【０００５】
本発明は、単相３線式電路の電力量を測定するための電力測定器において、単相３線式電路のＸ相とＹ相に流れる電流を電流センサにより夫々測定し、電流センサにより測定した電流値と任意に設定した電圧値から単相３線式電路の電力量を算出することを特徴とする。
【発明の効果】
【０００６】
本発明によれば、電圧測定のために電路にリード線を接続しないので施工性及び安全性が向上し、雷サージにより壊れることがなく、また、電圧測定のための回路と電圧入力部がないので装置本体を小型化して狭い場所へ取り付けることができ、分電盤内へ取り付けた状態でカバーを閉めることができるので安全性が高いという効果がある。
【発明を実施するための最良の形態】
【０００７】
単相３線式電路の電力量を測定するための電力測定器において、単相３線式電路のＸ相とＹ相に流れる電流を電流センサにより夫々測定し、電流センサにより測定した電流値と任意に設定した電圧値から単相３線式電路の電力量を算出する。
【実施例１】
【０００８】
本発明に係る電力測定器の実施例１を図１の添付図面に基づいて説明する。
【０００９】
電力測定器１は２個の分割型の電流センサ２と、分割型の電流センサ２が接続される装置本体３とで構成し、装置本体３には電流センサの出力信号を増幅するアンプ４と、アンプ４からの信号を基に電流値を算出するマイコン５と、算出した電流値を記憶するメモリ６と、パソコン１０と接続するためのＵＳＢポート７と、電源としての充電式の電池８と、通信状態や電池の状態を表示する表示部９とを備えて成っている。
【００１０】
次に電力測定器１の動作について説明する。まず、電力測定器１をＸ相、Ｙ相、Ｎ相から成る単相３線式電路に取り付ける。取り付けは分割型の電流センサ２を電路のＸ相とＹ相にクランプして取り付ける。電力測定器１を分電盤内に設置した場合、電力測定器１を取り付けた状態のまま分電盤のカバーで塞ぐことができるので分電盤の充電部を露出することがなく、安全に測定を行うことができる。
【００１１】
単相３線式電路に電流センサ２をクランプすると測定が開始される。測定が開始して電流センサ２が単相３線式電路に流れる電流を検出するとアンプ４に検出信号を出力し、アンプ４は入力された検出信号を増幅してマイコン５へと出力する。
【００１２】
マイコン５は検出信号を基に電流値を算出し、算出した電流値はメモリ６に記憶される。ＵＳＢポート７にＵＳＢケーブル１１を介してパソコンに接続することで、メモリ６に記憶されたデータはソフトを使用して転送することができる。
【００１３】
ソフトに単相３線式電路の電圧値を任意に設定することで転送された電流値と設定した電圧値から電力量を算出し表示を行うことができる。電力量の表示はＸ相、Ｙ相を個別に表示することもできるし、Ｘ相とＹ相を合わせた全体としても表示することができる。また、電圧値の設定は、電圧計により実際に単相３線式電路の電圧値を測定し、測定した電圧値を設定することでより正確に電力量を算出することができる。
【００１４】
データを電力測定器１からパソコン１０に転送した後は、必要に応じて次の測定に備えて初期化などの設定を行う。また、ＵＳＢ接続している間、ＵＳＢバスパワーにより電力測定器１の電池８に充電がされる。
【００１５】
なお、本実施例において、電圧値の設定はパソコン１０のソフトに設定し、電力測定器１から電流値データをパソコン１０に転送してソフトで電力量を算出するようにしたが、パソコン１０から電力測定器１に電圧値を設定して測定した電流値と設定した電圧値から電力量を算出してメモリ６に記憶し、メモリ６に記憶された電力量データをパソコン１０に転送してソフトで表示するようにしても良いし、また、表示手段と設定ボタンとを装置本体３に設けて装置本体３で電圧値の設定を行うようにしても良い。さらに、本実施例において、電池８を二次電池としたが、一次電池であっても良い。また、電流センサ２を本体３に一体形成するなど、構造及び構成について本発明の趣旨を逸脱しない範囲において適宜に変更して実施することも可能である。
【図面の簡単な説明】
【００１６】
【図１】本発明に係る電力測定器を示すブロック図である。
【符号の説明】
【００１７】
１    電力測定器
２    電流センサ
３    本体
４    アンプ
５    マイコン
６    メモリ
７    ＵＳＢポート
８    電池
９    表示部
１０    パソコン
１１    ＵＳＢケーブル
【図１】
2009139122.tif 000003
(57)【要約】      （修正有）【課題】保存性の良好なシアン化水素検知材を提供する。【解決手段】ピクリン酸Ｎａ（ピクリン酸ソーダ）１ｇを９０ｍｌのエタノールに溶解し、これに１０ｍｌの多価アルコール（テトラエチレングリコール）、１ｇのＮａアルコキシドを添加、溶解させて反応試薬を製作する。この反応試薬を、担持紙、たとえばセルロースを素材とするろ紙に含浸させ必要に応じて加温しながら有機溶媒を揮散させる。これにより１平方メートル当たりピクリン酸Ｎａ（ピクリン酸ソーダ）１．０ｇ、多価アルコール（テトラエチレングリコール）１１ｇ、及びＮａアルコキシド１ｇを担持した検知材が出来上がる。【選択図】なし【特許請求の範囲】
【請求項１】
ピクリン酸Ｎａ（ピクリン酸ソーダ）、多価アルコール、及びＮａアルコキシドを担体に担持させたシアン化水素検知材。
【発明の詳細な説明】
【技術分野】
【０００１】
本発明は、雰囲気中に含まれているシアン化水素と呈色反応させて濃度を測定するためのシアン化水素検知材に関する。
【背景技術】
【０００２】
シアン化水素は、毒性が比較的強い割りに残留性が極め少ないため穀類、野菜等の食品の燻蒸に広く使用されている。シアン化水素による燻蒸は、気密空間のシアン化水素の濃度を数パーセントに維持し、ここに被燻蒸品を数時間以上収容することにより行われる。燻蒸処理後にはシアン化水素が許容濃度である５ｐｐｍ以下に低下したことを確認してから被燻蒸品の取り出し作業が行われる。
【０００３】
許容濃度の確認は、シアン化水素用の検知管、ベルリンブルー反応、ロダン反応、ピリジンピラゾロン法等により行われているが、これらはバッチ処理であるため、能率が低いという問題がある。
このような問題を解消するため、特許文献１に見られるように酢酸銅（II）、酸化防止剤、保湿剤、及びシアン化銅の酸化力により変色する発色剤を担持紙に展開したシアン化水素検知材が提案されている。
これによれば、大気や自然光の影響を可及的に防止して比較的長期間にわたって高い精度でシアン化水素を測定することができる。
【特許文献１】特開２００１−１３０７６号公報
【発明の開示】
【発明が解決しようとする課題】
【０００４】
しかしながら、上記特許文献のものでも実用的な感度を維持できる期間がせいぜい１ヶ月程度であるため、より長期間の保存性を有する検知材が求められていた。
本発明はこのような問題に事情に鑑みてなされたものであって、その目的とするところは１年程度の保存性を有するシアン化水素検知材を提案することである。
【課題を解決するための手段】
【０００５】
このような課題を達成するために本発明においては、ピクリン酸Ｎａ（ピクリン酸ソーダ）、多価アルコール、及びＮａアルコキシドを担体に担持させた。
【発明の効果】
【０００６】
従来の検知材に比較して保存性を大幅に延長することができる。
【発明を実施するための最良の形態】
【０００７】
そこで以下に本発明の詳細を実施例に基づいて説明する。
ピクリン酸Ｎａ（ピクリン酸ソーダ）１ｇを９０ｍｌのエタノールに溶解し、これに１０ｍｌの多価アルコール（テトラエチレングリコール）、１ｇのＮａアルコキシドを添加、溶解させて反応試薬を製作する。
【０００８】
この反応試薬を、担持紙、たとえばセルロースを素材とするろ紙に含浸させ必要に応じて加温しながら有機溶媒を揮散させる。これにより１平方メートル当たりピクリン酸Ｎａ（ピクリン酸ソーダ）１．０ｇ、多価アルコール（テトラエチレングリコール）１１ｇ、及びＮａアルコキシド１ｇを担持した検知材が出来上がる。
この検知材は、テープに裁断されて自動測定装置の検知テープや、また小片に裁断して検知バッジの検知片として使用することができる。
【０００９】
特にテープに加工すると、特許文献１に開示されているようにテープをカセットに収容して、テープ搬送機構により発光素子と受光素子を備えたサンプリングヘッドに一定時間毎に搬送することが可能で、シアン化水素の濃度を自動的に測定することができる。
【００１０】
サンプリングヘッドは、サンプリングパイプを介して被測定環境に連通されていて、パイプを介して吸引ポンプに接続された吸引ヘッドと共同してテープ１を封止するように構成されているため、吸引ポンプを一定時間作動させることにより、所定量の空気がテープを通過し、
【化１】
2009139344.tif 000002
の反応により、シアン化水素量に比例してイソパーパリックアシドが生成する。
【００１１】
これによりシアン化水素の濃度に比例して黄色から赤褐色に変色して反応痕がテープに形成されるから、発光素子と受光素子により反応痕の相対的光学濃度、つまり赤褐色の濃度を検出することによりシアン化水素の濃度を測定することができる。
【００１２】
なお、上述の実施例においては被測定流体を、シート材を通過させることにより反応させているが、シート材を通過させる場合に比較して検出に要する時間は長くなるが、環境中に放置して表面を被検出流体に晒すようにしても検出することができる。
【００１３】
図１は、本発明の検知材の検量線を示すもので、１２ｐｐｍ程度まで高い直線性でシアン化水素を検出できることが判明した。
【００１４】
一方、図２は、本発明の検知材と、従来の検知材とをそれぞれ遮光状態で常温保存した場合の保存期間と検出感度との関係を示すものであって、本発明の検知材（図中符号Ａ）は、１３ヶ月を経過した時点でも初期の検出感度を維持することが確認できた。なお、図中符号Ｂは、従来の検知材の保存期間と検出感度との関係を示すものである。
【図面の簡単な説明】
【００１５】
【図１】本発明の検知材の検量線を示す線図である。
【図２】本発明の検知材の保存期間と検出感度との関係を示す線図である。
【図１】
2009139344.tif 000003
【図２】
2009139344.tif 000004
(57)【要約】【課題】従来の空調機及び冷凍機の凝縮器では熱交換時に冷媒は冷却されるが、それにより空気または冷却水が熱せられ、その熱が大気に放出されていた。又、特に夏期の外気温上昇時には凝縮器にて冷媒の充分な冷却作用ができず、この影響により電力需要の増大をまねいていた。一方給湯器やボイラーなどの温水及び蒸気発生装置の運転にはガスや石油などエネルギーを多く消費していた。【解決手段】空調機や冷凍機を使用し給湯器、ボイラーなどの温水発生装置を使用する全ての場所、建物に供給されている給水配管のうち給湯器、ボイラーなどの温水発生装置への給水配管を直接接続せずに冷房、冷却運転時の空調機及び冷凍機のコンプレッサー吐出側から凝縮器の出口にかけての全部または一部の冷媒配管と熱交換をさせ冷媒を冷却し給水を加熱してから給湯器やボイラーなどの温水及び蒸気発生装置の給水口に接続する。【選択図】図１
2009139072.tif 000002
【特許請求の範囲】
【請求項１】
空調機や冷凍機を使用し、給湯器やボイラー等の温水発生装置を使用する全ての場所、建物に供給されている給水配管のうち給湯器、ボイラーなどの温水発生装置への給水配管を直接接続せずに冷房、冷却運転時の空調機及び冷凍機のコンプレッサー吐出側から凝縮器の出口にかけての全部または一部の冷媒配管と熱交換をさせ冷媒を冷却し給水を加熱してから給湯器やボイラーなどの温水及び蒸気発生装置の給水口に接続する。
【発明の詳細な説明】
【技術分野】
【０００１】この発明は空調機及び冷凍機の冷房、冷却運転時における凝縮器の熱を利用し温水をつくり給湯器やボイラーなどの温水及び蒸気発生装置の給水に利用するものである。
【背景技術】
【０００２】従来の空調機及び冷凍機の凝縮器は空冷式と水冷式が使用されており、空冷式の場合は室外の凝縮器をファンを用い凝縮器内を通る冷媒を強制空冷にて冷却していた。又、水冷式の場合は冷却水を用い凝縮器内で冷媒を冷却し、熱交換により加熱された冷却水はクーリングタワーにて冷やし循環させていた。また給湯器やボイラーなどの温水及び蒸気発生装置の給水は水をしていた。
【発明の開示】
【発明が解決しようとする課題】
【０００３】従来の空調機及び冷凍機の凝縮器では熱交換時に冷媒は冷却されるが、それにより空気または冷却水が熱せられ、その熱が大気に放出されていた。又、特に夏期の外気温上昇時には凝縮器にて冷媒の充分な冷却作用ができず、この影響により電力需要の増大をまねいていた。一方給湯器やボイラーなどの温水及び蒸気発生装置の運転にはガスや石油などエネルギーを多く消費していた。
【課題を解決するための手段】
【０００４】空調機や冷凍機を使用し、給湯器やボイラー等の温水発生装置を使用する全ての場所、建物に供給されている給水配管のうち給湯器、ボイラーなどの温水発生装置への給水配管を直接接続せずに冷房、冷却運転時の空調機及び冷凍機のコンプレッサー吐出側から凝縮器の出口にかけての全部または一部の冷媒配管と熱交換をさせ冷媒を冷却し給水を加熱してから給湯器やボイラーなどの温水及び蒸気発生装置の給水口に接続する。
【発明の効果】
【０００５】空調機及び冷凍機の冷房、冷却運転時における特に夏期の外気温上昇時に凝縮器の冷媒の冷却不良により起きる故障や冷房、冷却効率の低下により招いていた電力需要の増大化を抑えることが可能になる。一方の給湯器、ボイラーなどの温水発生装置には凝縮器で得た熱を利用しできた温水を給水することにより、使用温度まで到達するのに必要な熱量を減らすことができるためガスや石油などの消費量を抑えることができる。
【発明を実施するための最良の形態」】
【０００６】まず空冷式の場合は凝縮器（室外熱交換器）の改良が必要になります。一番効果が得るには凝縮器を通る冷媒配管に給水配管を密着させる形が良いと思われます。アルミフィンを一部除去しむき出しになった銅配管と給水管をロー付けする等した方が配管擦れによるガス漏れ、水漏れを防げるものと思われます。水冷式の場合は凝縮器内で冷却水と冷媒を熱交換させていたが冷却水系統の配管やクーリングタワーを撤去し水冷式凝縮器内の冷却水配管には給水管を接続し熱交換にてできた温水を給湯器及びボイラーに分配するなどの方法を実施し使用することも可能と思われます。
【産業上の利用の可能性】
【０００７】この発明により空調機及び冷凍機の改造が必要になります。給湯器及びボイラーの改造も必要になります。給水配管を供給側から空調機及び冷凍機の凝縮器へつなぎ、凝縮器から給湯器及びボイラーへつなぐ配管工事及びそれに伴う諸工事が必要になります。必要に応じて温水を保存するタンクや、温水を使用温度にする為の配管構成や電気制御が必要になります。材料などコストはかかりますが、光熱費を削減できますし冷凍、空調各メーカーやガス器具メーカー及び施工に関係する各工事業者の需要増加が見込まれる。また既設製品を買い換えるほどの大改造は不要なので産業廃棄物も少なく実施することが可能と考えております。空調機及び冷凍機使用による夏期の電力需要の低減と給湯器及びボイラーの燃料使用量の低減につながるものと考えております。夏期の熱の大気放出量も削減できる為、近年の猛暑対策に少しでも貢献できるものと考えております。
【図面の簡単な説明】
【０００８】
【図１】空調機及び冷凍機の冷凍サイクルと今回発明のシステムを示した図である。
【図１】
2009139072.tif 000003
(57)【要約】【課題】  従来、冷蔵や冷凍庫の異臭や悪臭は、市販の消臭剤を庫内に置く方式であったが、空気の還流が微量な為その効果が判然としなかった。また、消臭剤の交換タイミングが計れない状況も問題であった。【解決手段】本発明は、内部空気の強制還流とマグネトロン発振装置を冷蔵や冷凍庫に内部設置し、臭気成分をプラズマ分解することの科学的処理により、消臭性能を大幅に向上させた。【選択図】図１
2009139074.tif 000002
【特許請求の範囲】
【請求項１】
内蔵消臭機能冷蔵庫および冷凍庫または両用複合機の構造。
【請求項２】
請求項１の消臭機能に関する、取り入れ口位置の特定。
【請求項３】
請求項１の消臭機能に関する、臭気分解技術。
【発明の詳細な説明】
【技術分野】
【０００１】  本発明は、冷蔵庫および冷凍庫の悪臭を除去する為の消臭機能に関するもので、機器の箱型構造を利用した循環回路を内蔵し、プラズマ発生装置による臭い成分分解を可能にした消臭技術に関するものである。
【背景技術】
【０００２】  従来、冷蔵庫および冷凍庫の悪臭を除去する為には、消臭剤を庫内に置く方式であった。
【発明の開示】
【発明が解決しようとする課題】
【０００３】    庫内に置く消臭剤方式では庫内空気の還流が無い事から十分な効果が発揮できず、更に効果期限の忘れによる放置があった為、消臭の意味が無い状況であった。
【課題を解決しようとする手段】
【０００４】  この課題を解決する為の請求項１の発明は、冷蔵庫および冷凍庫の内蔵消臭機能を成す構造とシステムに関するもので、機器の断熱壁内側に空気還流回路を設置し、プラズマ発生装置を通過させ清浄空気を内部に送り出す方式を手段とした。
【０００５】  また、請求項２の発明は、請求項１の消臭機能に関する、取り入れ口位置の特定に関するもので、還流効率を最良にする事を手段とした。
【０００６】  また、請求項３の発明は、請求項１の消臭機能に関する、臭気分解技術に関するものでマグネトロン発振器により臭い成分の分解を可能にした事を手段とした。
【発明の効果】
【０００７】  本発明により、交換などの手間が掛からず長期間消臭ができるようになり、冷蔵庫の消臭に関する画期的方策が無い現状にあって、ユーザーや製造企業にとって革命的商品としての評価が期待でき、世界初の内蔵消臭機能付き冷蔵庫として商業的利益に結ぶ可能性が大きい。また、機能設置に対する製造費も１２００円原価程度で実施できることから、高額化無くアイデア商品としての本質を十分に発揮できる。何よりも効果が期待できるのは、本発明がきっかけとなり更に優秀な技術を各メーカー付加するであろう事なのである。
【発明を実施するための最良の形態】
【０００８】  図１は、請求項１から請求項３を示すもので、庫内空気還流構造と取り入れ口および循環排気口の最良の位置を示し、更に基幹部分のプラズマ発生装置と還流ファンの最適位置を示すものである。【０００９】  この時の庫内空気取り入れ口は、メルカプタン等の比較的比重の高い物質を想定して庫内床面横壁、各棚の保持突起レールの上面に気孔を設ける。【００１０】  これらの気孔位置であれば、収納物による閉塞も回避でき、安定した空気取り入れが可能となる。【００１１】  また、還流空気の脱臭措置後に庫内に戻すための排気口の位置は、循環を高率にするため奥壁側に数か所設置する。【００１２】  この循環空気構造における還流ファンは小型円筒型内蔵ファンが適しており、流量は対象冷蔵庫などの体積に応じ、性能域を選出する。【００１３】  基幹機能である分解消臭器では、一般に流通している電子レンジに採用されているものが適用でき、その小型化は技術的に可能である。因みに発振周波数は２４５０ＭＨＺである。【００１４】  付加部分として、還流空気通路の途中に、活性炭などの簡易取り換え式消臭剤を取り付ける事も、更に性能を向上させる手段となる。【００１５】  この場合、還流ファンと隣り合わせに設置する事で、故障やクリーニング機構としてさずける事ができる。
【産業上の利用可能性】
【００１６】  一般家庭電化製品の他、業務用機器にも同様な利用ができ。更に、住宅や事務所など建築物の消臭機能として多種多用途に転用が可能である。【００１７】  また、医療機関などの消毒作業や院内感染防止にも、部屋別還流装置として利用する事ができ、大きな貢献が望める。【００１８】  また、航空機内の消毒や消臭にも利用できる事は、感染症やインフルエンザの防御に大きな貢献が期待される。
【図面の簡単な説明】
【００１９】
【図１】
【符号の説明】
１  還流空気取り入れ口
２  還流消臭処理空気排気口
３  還流ファン
４  マグネトロン発振装置
５  付加用消臭剤カセット
６  還流路
７  消臭空気排出路
８  冷蔵庫／冷凍庫本体
【図１】
2009139074.tif 000003
【手続補正書】
【提出日】平成20年2月7日(2008.2.7)
【手続補正２】
【補正対象書類名】明細書
【補正対象項目名】００１９
【補正方法】変更
【補正の内容】
【００１９】
【図１】冷蔵庫／冷凍庫に於ける機能部分および還流路、開口部位の概要図である。
【符号の説明】
１  還流空気取り入れ口
２  還流消臭処理空気排気口
３  還流ファン
４  マグネトロン発振装置
５  付加用消臭剤カセット
６  還流路
７  消臭空気排出路
８  冷蔵庫／冷凍庫本体
(57)【要約】【課題】  数多く来るお知らせ等を、一箇所に整理して掲示し、一目で確認できる、冷蔵庫等用お知らせ掲示ハンガーを提供する。【解決手段】  磁石で固定した基盤部〔３〕に回転軸〔２〕を設け、横回転がスムーズな鋼製等のアーム〔１〕を複数取り付け、アーム〔１〕両面に板磁石〔４〕でお知らせ等を固定すると共に、アーム端にボードマーカー使用可能な裏面表示部〔５〕を設けることにより、お知らせ等の貼り付け・整理・確認の簡単なお知らせ等掲示ハンガーを特徴とする。  【選択図】図３
2009139446.tif 000002
【特許請求の範囲】
【請求項１】
薄い鋼板等磁石に反応する金属板の片端に回転のための円筒を設け、もう一端両側面にホードマーカー使用可能な塗料を塗布した裏面表示部〔５〕を持つアーム〔１〕を回転軸〔２〕に差込む。裏面上下に磁石を固定した長方形の板の上下に回転軸〔２〕を保持し、アーム〔１〕を上下に固定する一方の開いた茶筒型の筒を持つ基盤部〔３〕で回転軸〔２〕を固定する。アーム〔１〕両面に板磁石〔４〕でお知らせ等を固定する。一目で何が掲示されているか判り、アーム〔１〕の回転により、必要なお知らせ等をすぐに見ることができるお知らせ整理ハンガー。
【発明の詳細な説明】
【技術分野】
【０００１】
本発明は日常的に保管・確認が必要な、学校・地域からのお知らせ等を、簡易に掲示しながら整理できるハンガーである。
【背景技術】
【０００２】
これまで必要なお知らせ等は、掲示ボード・冷蔵庫等に貼り付けるかファイルして日々確認するといった処理を行なっていた。
【発明の開示】
【発明が解決しようとする課題】
【０００３】
これらは次のような欠点があった。
冷蔵庫・掲示ボードへの個々の貼り付けは見た目も乱雑で、優先順位もなく、見えている故に逆に見落とすことも多々あった。又、クリアファイル等はファイルし整理するために手間がかかり、いちいち所定位置に行き開かなければならないという手間が必要であった。
【課題を解決するための手段】
【０００４】
薄い板状の鋼板等磁石に反応する金属の板の片端に円筒を成型し、アーム〔１〕とする。数枚のアーム〔１〕に円柱を通し回転軸〔２〕とする。回転軸〔２〕の両端に、裏に磁石をもった板に固定された茶筒状のカバーを被せ基盤部〔３〕とし、回転軸〔２〕を固定するとともにアーム〔１〕を上下から押さえ、スムーズな回転運動を保証する。このアーム〔１〕の両側面に板磁石〔４〕を取り付けることによりアーム〔１〕と板磁石〔４〕の間にお知らせ等をはさみ保持する。又、アーム〔１〕先端両側面にボードマーカーが使用できる塗料を塗布し裏面表示部〔５〕とする。
本発明は以上の構成よりなるお知らせ整理ハンガーである。
【発明の効果】
【０００５】
本発明は冷蔵庫等日常的に使用し、目立つ磁石の使える場所に取り付けることにより、これまで同様簡単にお知らせ等を掲示でき、重ねられることにより場所もとらずすっきり掲示できる。又、裏面表示部〔５〕に用件や日にち等記入することにより、家事の動きの中で常時必要な要件が再確認でき、必要なときに必要なお知らせ等を開いておける。
【発明を実施するための最良の形態】
【０００６】
以下、本発明を実施するための最良の形態について説明する。
お知らせ等を固定するアーム〔１〕はＡ４サイズのお知らせを挟んでなお余白がもてる２１ｃｍ程度の長さの幅２．３ｃｍ厚さ５ｍｍ程度の鋼板等であり、片側に回転軸〔２〕に通す長さ２．５ｃｍ程度の円筒を直角に成型し、反対側端に鋼板等と同幅の板磁石を接着する。磁石側余白面両側はボードマーカーで文字が書け、消せる塗料を塗布し裏面表示部〔５〕とする。以上の構造をもつ。
【０００７】
アーム〔１〕を保持する回転軸〔２〕は、アーム〔２〕がスムーズにぶれなく回転するようアーム〔１〕の円筒部の内径より若干小さな直径を持ち、必要アーム〔２〕数の円筒部を貫通し、基盤部〔３〕の茶筒形部分に収まる長さの円柱とする。
【０００８】
基盤部〔３〕は、回転軸〔２〕より少し長く、アーム〔１〕の円筒部外径より少し幅広の板の上下裏に接着用の磁石を固定する。基盤となる板の前面最上部・最下部に基盤と平行に長さが２．５ｃｍ程度の上下それぞれ上端と下端一方が閉じた蓋を開けた茶筒形のカバーを成型する。カバーの内径は回転軸〔２〕の直径より若干大きく、スムーズに回転軸〔２〕差し込め、しかも差し込んだ回転軸を回してもがたつかない程度とする。上下カバーの間は回転軸〔２〕が脱落しないよう挟み込め、アーム〔１〕円筒部が密着し、しかもスムーズに回転できる程度に上下より抑えられる間隔とする。
ここまでが基本構造であり、外見上アーム式の布巾掛けのアーム部を鋼板とし、上に向かって幅を取るのではなく、前面に向かって幅を持つ形状とする。
【０００９】
アーム〔１〕の両面にアーム〔１〕と同じ幅、Ａ４サイズの用紙の短い辺より少し短い長さの板磁石〔４〕を貼り付ける。
本発明は以上のような構造である。
これを使用するときは板磁石〔４〕を外し、お知らせをアーム〔１〕にあて板磁石で挟み込む。アームの両面を使用するため、お知らせを貼り付けたときは、裏面の裏面確認欄〔５〕にマーカーで日にちなど必要事項をメモする。これによって時々に必要な部分を開いておき、必要事項の確認が出来、同時にその他の事項も確認できる。又、アームの端にある磁石により、常にアームは両端が冷蔵庫面等に密着し、ふらふらして角に子供がぶつかるなどの危険が回避される。
【００１０】
他のお知らせ保持方法としては板磁石使用ではなく、幅広のクリップ・バインダー等をアーム〔１〕に固定する方法がある。又、一種類のお知らせが２．３枚にわたる場合を想定しアーム〔１〕が６本なら４本を板磁石使用とし、２本をクリップ固定ということもある。この場合、クリップ式の一方に上部開口の袋を下げ、領収証入れ等にすることも出来る。
【００１１】
冷蔵庫等磁石の使えない場所での基盤部〔３〕固定方法としては吸盤を使う方法・ねじで固定する方法がある。
【００１２】
より整理をしやすくする方法として板磁石〔４〕背面に裏面確認欄〔５〕と同様の塗装を施しタイトル・メモ欄とすることもできる。
【００１３】
本発明を使用する場合、アーム〔１〕の片面には基本的に１．２枚のお知らせを挟むことが望ましいが、本発明により生じた広い空白面に、単独で多くの枚数からなるものは、クリップつきの磁石等で掲示できる。
【００１４】
本発明を使用する場合、アーム〔１〕を上から順に右左右と交互に開いた状態でセットしておき、上から順にお知らせ等を掲示しておく。
【図面の簡単な説明】
【００１５】
【図１】本発明の１実施例の正面図である。円筒に覆われた回転軸は点線で表示されている。
【図２】本発明の平面図である。回転軸は点線で表示されている。
【図３】本発明の使用図である。お知らせは点線で表示されている。
【図４】本発明のアーム回転経過図である。
【図５】本発明のアーム回転経過図である。
【図６】本発明のアーム回転経過図である。
【符号の説明】
【００１６】
１  アーム
２  回転軸
３  基盤部
４  板磁石
５  裏面確認欄
【図１】
2009139446.tif 000003
【図２】
2009139446.tif 000004
【図３】
2009139446.tif 000005
【図４】
2009139446.tif 000006
【図５】
2009139446.tif 000007
【図６】
2009139446.tif 000008
(57)【要約】【課題】本発明は従来のスーツの襟元、ウエスト、袖口の三ヶ所を絞って、誰にでも着やすく、そして、動きやすいように工夫したスーツを提供する。【解決手段】スーツの襟元、ウエスト、袖口の三ヶ所を絞ったことを特徴としたスーツ。又スーツの襟元、ウエスト、は絞ったままで袖口は絞らずに袖広としたスーツ。【選択図】図１
2009108462.tif 000002
【特許請求の範囲】
【請求項１】
スーツにおいて、スーツの襟元（１）、ウエスト（４）、袖口（３）の三ヶ所を絞ったことを特徴としたスーツ。
【請求項２】
スーツにおいて、スーツの襟元（１）、ウエスト（４）はそのままで、袖口（３）を絞らずに、袖広としたスーツ。
【発明の詳細な説明】
【技術分野】
【０００１】  本発明は、従来のスーツの襟元・ウエスト・袖口の三ヶ所を絞って、誰にでも着やすく、そして、動きやすいように工夫したスーツに関するものである。
【背景技術】
【０００２】  従来のスーツは、前開きの物が多く、形状が悪く動きにくかった。
【発明の開示】
【発明が解決しようとする課題】
【０００３】  そのために、次のような問題点があった。
前開きのものは必ずボタンを留めなくてはならない。
本発明は、以上のような問題を解決しようとしたものである。
【課題を解決するための手段】
【０００４】  スーツの襟元、ウエスト、袖口の三ヶ所を絞ったことを特徴としたスーツ。
スーツの襟元、ウエスト、はそのままで、袖口を絞らずに、袖広としたスーツ。
【発明の効果】
【０００５】（イ）スーツは、襟元、ウエスト、袖口の三ヶ所を絞ることで、幅広い年代に着られる。
（ロ）袖口を絞らずに袖広として動き易いように工夫したスーツに関するものである。
（ハ）ウエスト部をたくり、ゆとりをもたせているため、とても簡単にゆったりと着られて、動作も、窮屈さもなく、着易い。また、体型を意識しないでよい。
（二）生地の種類を変えれば、季節を問わず、冠婚葬祭や医療着、仕事着、普段着にもなる。
【発明を実施するための最良の形態】
【０００６】以下、本発明の実施の形態についてを説明する。
スーツの襟元、ウエスト、袖口の三ヶ所を絞ったことを特徴とし、又袖口を絞らずに袖広とした。
本発明は以上のような構成よりなるスーツである。
図１は、本発明の正面図で、襟元（１）、前みごろ（２ａ）、袖口（３）、ウエスト（４）である。
図２は本発明の全体の説明図で襟元（１）、前みごろ（２ａ）、袖口（３）、ウエスト（４）である。
図３は、本発明の背面図で、襟元（１）、後みごろ（２ｂ）、袖口（３）、ウエスト（４）である。
図４は、本発明の後面から見た全体の説明図で、襟元（１）、後みごろ（２ｂ）、袖口（３）、ウエスト（４）である。
図５は本発明の右側の側面図で襟元（１）、前みごろ（２ａ）、袖口（３）、ウエスト（４）である。
図６は本発明の左側の側面図で襟元（１）、後みごろ（２ｂ）、袖口（３）、ウエスト（４）である。
図７は、本発明の立体図で、襟元（１）、前みごろ（２ａ）、袖口（３）、ウエスト（４）である。
図８、図９、図１０、図１１、図１２は本発明の正面図で襟元（１）、前みごろ（２ａ）、袖口絞らず（３ａ）ウエスト（４）である
図１３、図１４、図１５、１図１６は、本発明の正面図で、襟元（１）、前みごろ（２ａ）、袖口（３）、ウエスト（４）である。
図１７は、本発明の正面図で、襟元（１）、前みごろ（２ａ）、袖口（３）、ウエスト（４）である。ラグラン袖にする。
図１８は、図１７の後面図で、襟元（１）、後みごろ（２ａ）、袖口（３）、ウエスト（４）である。ラグラン袖にする。
本発明を使用するときは、着衣の方法は、襟元、袖口のボタンをはずし、ウエストのひもを締めて、かぶって着るようになる。
【図面の簡単な説明】
【０００７】
【図１】本発明の正面図である。
【図２】本発明の全体の説明図である。
【図３】本発明の背面図である。
【図４】本発明の後面から見た全体の説明図である。
【図５】本発明の右側の側面図である。
【図６】本発明の左側の側面図である。
【図７】本発明の立体図である。
【符号の説明】
【０００８】  １    襟元
２ａ  前みごろ
２ｂ  後みごろ
３    袖口
３ａ  袖口絞らず
４    ウエスト
【図１】
2009108462.tif 000003
【図２】
2009108462.tif 000004
【図３】
2009108462.tif 000005
【図４】
2009108462.tif 000006
【図５】
2009108462.tif 000007
【図６】
2009108462.tif 000008
【図７】
2009108462.tif 000009
【図８】
2009108462.tif 000010
【図９】
2009108462.tif 000011
【図１０】
2009108462.tif 000012
【図１１】
2009108462.tif 000013
【図１２】
2009108462.tif 000014
【図１３】
2009108462.tif 000015
【図１４】
2009108462.tif 000016
【図１５】
2009108462.tif 000017
【図１６】
2009108462.tif 000018
【図１７】
2009108462.tif 000019
【図１８】
2009108462.tif 000020
【手続補正書】
【提出日】平成20年9月19日(2008.9.19)
【手続補正１】
【補正対象書類名】明細書
【補正対象項目名】０００７
【補正方法】変更
【補正の内容】
【０００７】
【図１】  本発明の正面図である。
【図２】  本発明の全体の説明図である。
【図３】  本発明の背面図である。
【図４】  本発明の後面から見た全体の説明図である。
【図５】  本発明の右側の側面図である。
【図６】  本発明の左側の側面図である。
【図７】  本発明の立体図である。
【図８】  本発明の袖口を絞らずに切った正面図である。袖丈は７分袖にした。
【図９】  本発明の袖口を絞らずに切って袖丈は７分袖にし前開きでチャイナボタンで留める様にした物でそれの正面図である。
【図１０】  本発明の袖口を絞らずに切って袖丈は７分袖にし右横開きでチャイナボタンで留める様にした物でそれの正面図である。
【図１１】  本発明の袖口を絞らずに切って袖丈は７分袖にしボタンを真ん中半分まで付けた正面図である。
【図１２】  本発明の袖口を絞らずに切って袖丈は７分袖にしボタンを真ん中下まで付けて前開きにした正面図である。
【図１３】  本発明の３ヶ所を絞りチャイナボタンを真ん中まで付けた正面図である。
【図１４】  本発明の３ヶ所を絞りボタンをウエストまで付け、前開きにした正面図である。
【図１５】  本発明の３ヶ所を絞りチャイナボタンを斜めに真ん中まで付けた正面図である。
【図１６】  本発明の３ヶ所を絞りチャイナボタンを斜めに付けて斜め開きにした正面図である。
【図１７】  本発明の３ヶ所を絞り後開きにした正面図である。袖の型はラグラン袖
【図１８】  本発明の３ヶ所を絞り後開きにした後面図である。袖の型けラグラン袖
(57)【要約】      （修正有）【課題】肩の血流を良くすることができる磁気ブラジャーを提供する。【解決手段】ブラジャーの肩の部分に磁気シート１を装着する。【選択図】図１
2009108458.tif 000002
【特許請求の範囲】
【請求項１】
ブラジャーの肩の部分に磁気シートを入れる
【発明の詳細な説明】
【発明の詳細な説明】
【０００１】肩の血流を良くする
【技術分野】本発明は、ブラジャーに磁気シートを装置することによって肩の血流を良くする
【背景技術】
【０００２】ない
【本発明が解決しようとする課題】
【０００３】本発明は肩の血流を良くするものである。
【問題を解決するための手段】
【０００４】本発明は肩の血流を良くするものである。
【図面の簡単な説明】
【図１】平面図
【図２】図１Ａ−Ａの断面図
【符号の説明】
１    磁気シート
【図１】
2009108458.tif 000003
【図２】
2009108458.tif 000004
(57)【要約】      （修正有）【課題】首周りの血流を良くするネクタイを提供する。【解決手段】ネクタイの袋１に磁気シート２を装着する。【選択図】図１
2009108457.tif 000002
【特許請求の範囲】
【請求項１】
袋に磁気シートを入れる
【発明の詳細な説明】
【発明の詳細な説明】
【０００１】首周りの血流を良くする
【技術分野】本発明は、ネクタイに磁気シートを装置することによって首周りの血流を良くする
【背景技術】
【０００２】ない
【本発明が解決しようとする課題】
【０００３】本発明は首周りの血流を良くするものである。
【問題を解決するための手段】
【０００４】本発明は首周りの血流を良くするものである。
【図面の簡単な説明】
【図１】平面図
【図２】図１Ａ−Ａの断面図
【符号の説明】
１    袋
２    磁気シート
【図１】
2009108457.tif 000003
【図２】
2009108457.tif 000004
(57)【要約】【課題】洗い用手袋を使用すると、体の隅々まで洗うことが出来る、特に足の指の間に手袋の指袋を差し込んでこするようにして洗うと垢やばい菌を落とすことが出来る、タオルよりも簡便に使用できる洗い用具を提供する。【解決手段】５本指袋を有する手袋の表面を硬めの生地で覆い、手袋の内側を柔らかい生地からなる洗い用手袋。【選択図】図１
2009108455.tif 000002
【特許請求の範囲】
【請求項１】
５本指袋を有する手袋の表面を硬め生地で覆い、手袋の内側を柔らかい生地からなる洗い用手袋。
【発明の詳細な説明】
【技術分野】
【０００１】    本発明は、風呂などで体の垢をこする洗い具で、手袋の５本の指袋で体の隅々まで洗うことの出来る、表面が硬めの生地で覆われた洗い用手袋に関するものである。
【背景技術】
【０００２】    従来、風呂場で身体を洗うときは、通常タオルを使用している。足の指の間を洗うときはタオルの先をしぼりながら細くして指の間に入れて洗っていた。また、陰のう（玉袋）を洗うときは、タオルを広げたり、丸めたりして患部に押し当てて洗っていた。
【発明の開示】
【発明が解決しようとする課題】
【０００３】  そのために、次のような問題点があった。
（イ）一般的に、入浴する場合、長方形のタオルを使用する。タオルはからだ全体を洗う      のに適しているが、指の間など、細い、狭い部分を洗うのには適していない。
また、陰のう（玉袋）のしわの間を洗うのにも適切ではない。
（ロ）タオルは面積が大きく、シャンプーなどの吸収力が大きいので、石鹸やシャンプー      を余分に使用することになる。
本発明は以上の問題点を解決するためになされたものである。
【課題を解決するための手段】
【０００４】  軍手の様な洗い用手袋の表面を硬めの垢すり用生地で覆うように、洗い用手袋の内側の生地と表面の外側の硬めの生地とを接着、或いは縫合することにより一体感を持つように作る。以上よりなる手袋の表面に硬めの生地で覆った洗い用手袋である。
【発明の効果】
【０００５】  本発明は、入浴の際、タオルで洗いにくい体の部分である、指の間とか、陰のう（玉袋）のしわの間や陰のう（玉袋）の裏側などを洗うのに適しており、その部分に潜む細菌やばい菌を除去して、清潔にすることが出来る。
また、タオルに比べて面積が少ないため、石鹸などの洗剤を少なく使用して、洗いの効果を大きくすることが出来る。
また、タオルは水を含むと重たくなり、老人には負担が大きい。
また、洗い用手袋の片面だけを硬めの生地で覆っても効果は同じである。
【発明を実施するための最良の形態】
【０００６】以下、本発明の実施の形態を説明する。
（イ）先方に５本の指袋（６ａ）〜（６ｅ）を有する洗い用手袋（１）は、２重の構造になっており、外側生地（３）はナイロン生地等の樹脂性繊維で編成された硬めの垢すり生地で覆われており、手袋（１）の内側生地（４）に綿布などの洗剤を吸収する生地を用いてなる。
表面外側生地（３）と内側生地（４）は、接着もしくは縫合をすることで一体化する。
（ロ）手袋の開口部（２）は、手を挿入する部分であるが、石鹸などで滑って抜ける恐れがある場合は、開口部の外周にベルト（５）を取り付けて手袋が滑って抜けないように締めるようにしても良い。
本発明は以上の構成よりなっている。
本発明を使用するときは、洗い用手袋（１）の開口部（２）から手を挿入し、湯につけた後、硬めの外側生地（３）に石鹸をこすりつけて、体を洗うようにする。石鹸分は内側生地（４）の柔らかい生地の部分に吸収される。外側生地（３）の硬めの生地で体をこすると、内側生地（４）の柔らかい生地から石鹸分が出て、効果的に垢を落とすことが出来る。
また、指の間などを洗う場合、手袋の指袋（６）を指と指の間に差し込んで洗うと、指の間の垢やばい菌を落とすことが出来る。水虫などにかからないようになる。
また、足首や腕などを、この手袋で握るようにしてこすりながら垢を落とすと、楽に洗うことが出来る。
また、玉袋を洗うときも洗い用手袋の１０本の指袋で、伸ばすようにして洗うと、しわの間の垢やばい菌を落とすことが出来る。陰金田虫（いんきんたむし）などにならないことになる。本発明を使用することにより、防菌効果がある。
洗い用手袋（１）が石鹸などで、ぬるっと抜けるのを防ぐためには、開口部（２）にベルト（５）を取り付けて、手首を締め付けて着用すれば外れることはない。
また、外側（３）の硬めの生地と内側（４）の柔らかい生地の両方の機能を持つ一体の生地が出来れば、その方が良い。
また、この洗い用手袋で台所の食器を洗うと有効である。
【図面の簡単な説明】
【０００７】
【図１】本発明の正面図
【図２】本発明の断面図
【図３】本発明の使用状態を示す斜視図
【符号の説明】
【０００８】１    手袋
２    開口部
３    外側生地
４    内側生地
５    ベルト
６    指袋
７    腕
８    足
９    足親指
【図１】
2009108455.tif 000003
【図２】
2009108455.tif 000004
【図３】
2009108455.tif 000005